(57)【要約】      （修正有）【課題】ガスバーナから放出された炎から近い位置で被加熱容器が炎を受けられて熱エネルギーの利用効率を良くする燃焼補助器具を提供する。【解決手段】燃焼補助器具１０は、隔壁部２０と、隔壁部２０とは別体に形成された載置部３０と、を有している。隔壁部２０を、周方向に沿って連設された複数枚の分割片２１で構成する。載置部３０を、円環状の枠体３１で構成し、被加熱容器と五徳との当接部分で囲まれた領域を、領域の外側で包囲可能に形成する。隔壁部２０と被加熱容器の外周面との間に熱エネルギーを保持する空間を形成する。【選択図】図１
2014077617.tif 000002
【特許請求の範囲】
【請求項１】
ガスコンロの五徳に載置される燃焼補助器具であって、
被加熱容器の外周面を取り囲む筒状の隔壁部を備え、
前記隔壁部の一端側には内側に曲げられた保持部が形成され、
前記隔壁部の他端側には、前記被加熱容器と前記五徳との当接部分で囲まれた領域を、前記領域の外側で包囲可能として前記五徳に載置される載置部が設けられていることを特徴とする燃焼補助器具。
【請求項２】
前記載置部が、前記隔壁部とは別体の枠体として形成され、
前記隔壁部が、前記隔壁部の周方向に沿って連設された複数枚の分割片で構成され、
各前記分割片が、前記保持部とは反対側の端部で前記枠体に回動可能に支持されていることを特徴とする請求項１記載の燃焼補助器具。
【請求項３】
前記枠体が円環状に形成され、
各前記分割片は、前記隔壁部の周方向における両端部が、隣接する前記分割片と重ね合わされ、前記隔壁部の周方向における一端が隣接する前記分割片より外側に配置され、他端が隣接する前記分割片より内側に配置されていることを特徴とする請求項２記載の燃焼補助器具。
【請求項４】
前記分割片が、付勢部材によって前記隔壁部の内側に付勢されていることを特徴とする請求項２又は３記載の燃焼補助器具。
【発明の詳細な説明】
【技術分野】
【０００１】
本発明は、被加熱容器をガスコンロ等で加熱する際に使用される燃焼補助器具に関するものである。
【背景技術】
【０００２】
家庭で一般的に使用されているガスコンロのガスバーナから発生する炎は、被加熱容器の外周面に沿って逃げてしまい熱エネルギーの利用効率が悪いという問題があった。
【０００３】
これに対し、特許文献１には、ガスバーナを有する調理用ガステーブルにおいて、ガスバーナを燃焼部の周囲を包囲しトッププレートにほぼ垂直方向に中心軸を有するように形成された熱逃げ防止外筒を備え、熱逃げ防止外筒の下端部に内方に向けて連設された熱誘導部を有し、熱誘導部はガスバーナから燃焼により生じた熱を外周方向に逃がさないようにしたガス消費低減器が記載されている。
【先行技術文献】
【特許文献】
【０００４】
【特許文献１】特開２００４−１７６９３９号公報
【発明の概要】
【発明が解決しようとする課題】
【０００５】
しかし、上記に示すガス消費低減器は、熱誘導部の先端部（五徳からかさ上げされた位置）で鍋、やかん等の被加熱容器の底面付近を支持するため、ガスバーナから放出された炎から距離が遠くなり熱エネルギーの利用効率が悪くなる問題があった。
【０００６】
本発明は、上記事情に鑑み、ガスバーナから放出された炎から近い位置で被加熱容器が炎を受けられて熱エネルギーの利用効率を良くする燃焼補助器具を提供することを目的とする。
【課題を解決するための手段】
【０００７】
請求項１記載の発明の燃焼補助器具では、被加熱容器の外周面を取り囲む筒状の隔壁部を備え、隔壁部の一端側に内側に曲げられた保持部を形成して、隔壁部の他端側に、被加熱容器と五徳との当接部分で囲まれた領域を、その領域の外側で包囲可能として五徳に載置される載置部を設けている。
【０００８】
これにより、被加熱容器が五徳に直接載置され、ガスバーナから放出された炎から近い位置で被加熱容器が炎を受けられるとともに、隔壁部と被加熱容器の外周面との間に熱エネルギーを保持する空間が形成されることにより、被加熱容器の外周面から逃げた炎から熱エネルギーが放散するのを防止できるので、熱エネルギーの利用効率を良くすることができる。
【０００９】
また、載置部を、隔壁部とは別体の枠体として形成して、隔壁部を、隔壁部の周方向に沿って連設された複数枚の分割片で構成して、各分割片が、保持部とは反対側の端部で枠体に回動可能に支持することにより、分割片を回動させて、隔壁部の保持部を拡縮径させることが可能となり、サイズ、形状の異なる被加熱容器に使用することができる。
【００１０】
また、枠体を円環状に形成して、各分割片を、周方向における両端部を、隣接する分割片と重ね合せ、隔壁部の周方向における一端を隣接する分割片より外側に配置し、他端を隣接する分割片より内側に配置すれば、一つの分割片を回動させることにより、隣接する分割片が連動して回動するので、隔壁部全体をサイズ、形状の異なる被加熱容器に対応させることが容易となる。
【００１１】
また、分割片を、付勢部材によって隔壁部の内側に付勢すれば、各分割片が被加熱容器の外周面を取り囲んだ状態を維持できるので、隔壁部を構成する分割片が被加熱容器の外周面から離れて熱エネルギーが放散するのを防止でき、熱エネルギーの利用効率を良くすることに寄与することになる。
【図面の簡単な説明】
【００１２】
【図１】本発明の一実施形態の燃焼補助器具の斜視図である。
【図２】本発明の一実施形態の燃焼補助器具の側面図である。
【図３】本発明の一実施形態の燃焼補助器具の平面図である。
【図４】本発明の一実施形態の燃焼補助器具の側断面図、分割片の支持部分及び保持部の部分拡大図である。
【発明を実施するための形態】
【００１３】
本発明の燃焼補助器具の一実施形態について図面に基づいて説明する。以下の説明では、後述する保持部２１ａ側を上とし、載置部３０側を下とする。
【００１４】
本実施形態の燃焼補助器具１０は、ガスコンロＧに備え付けられている五徳Ｈに載置されて使用するものである。
【００１５】
燃焼補助器具１０は、図１乃至４に示すように、隔壁部２０と、隔壁部２０とは別体に形成された載置部３０と、を有している。
【００１６】
隔壁部２０は、耐熱性を有する金属製で筒状に形成され、周方向に沿って連設された複数枚の分割片２１で構成されている。
【００１７】
分割片２１は、板状で略台形に形成され、上端側には内側に略Ｕ字状に曲げられ被加熱容器Ｋの外周面と当接可能な保持部２１ａが形成され、隔壁部２０の周方向に沿って換気孔２１ｂが二か所設けられている。下端中央部に突片２１ｃが形成され、突片２１ｃの上方に挿通孔２１ｄが形成されている。
【００１８】
保持部２１ａは、平面視における、時計周り方向前側の端部２１ｅが、隣接する分割片２１の保持部２１ａと重ね合わせ可能とするため、隣接する分割片２１の保持部２１ａの時計周り方向後側の端部２１ｆの内周側に配置可能に、時計周り方向後側の端部２１ｆより小さく曲げられて形成されている。
【００１９】
載置部３０は、隔壁部２０とは別体の枠体３１として形成され、枠体３１が円環状に形成され、分割片２１の数に対応した孔３１ａが形成され、孔３１ａの周縁の内側部分から下方向に延びる突片３１ｂが設けられている。枠体３１は、被加熱容器Ｋと五徳Ｈとの当接部分Ｘで囲まれた領域Ｙを、領域Ｙの外側で包囲可能に形成されている。
【００２０】
分割片２１は、図４に示すように、枠体３１の孔３１ａに分割片２１の突片２１ｃを上側から挿入して、さらに、分割片２１の挿通孔２１ｄに枠体３１の突片３１ｂを挿通させることで、分割片２１と枠体３１とが係合され、枠体３１に対して回動可能に支持されている。
【００２１】
分割片２１の隔壁部２０の時計周り方向（周方向）における両端部が、隣接する分割片２１と重ね合わされ、各分割片２１の、隔壁部２０の時計周り方向（周方向）における、前側の端部２１ｅが隣接する分割片２１より内側に配置され、後側の端部２１ｆが隣接する分割片２１より外側に配置されている。
【００２２】
分割片２１は、付勢部材４０によって隔壁部２０の内側に付勢されている。本実施形態では、連設している隔壁部２０の周方向における一つ飛ばした分割片２１の換気孔２１ｂ間に、付勢部材４０としてのコイルばね４１が、隔壁部２０の対向する位置に二か所架け渡されて、隔壁部２０の内側に付勢されている。
【００２３】
燃焼補助器具１０の使用態様について説明する。
【００２４】
ガスコンロＧの五徳Ｈに燃焼補助器具１０の枠体３１を下にして載置して、さらに、被加熱容器Ｋの外周面を、隔壁部２０の内側に付勢されている分割片２１の保持部２１ａに当接させるとともに、分割片２１を隔壁部２０の外側方向に押し広げながら、ガスコンロＧの五徳Ｈに被加熱容器Ｋを載置する。
【００２５】
この時、コイルばね４１の付勢力により、架け渡されたコイルばね４１が、隔壁部２０の時計周り方向（周方向）における、コイルばね４１が係止されている換気孔２１ｂ間の距離を縮めるように作用する。
【００２６】
これにより、隣接する分割片２１より外側に配置されている分割片２１の時計周り方向における後側の端部２１ｆが、隣接する分割片２１より内側に配置される分割片２１の時計周り方向における前側の端部２１ｅを、隔壁部２０の外側方向に押し広げるのを防止する。そして、各分割片２１が連動して回動することで、保持部２１ａが縮径して被加熱容器Ｋの形状に対応するとともにその状態を維持する。
【００２７】
サイズの大きい被加熱容器Ｋ１に用いる場合でも、図４の二点鎖線で示すように、各分割片２１が連動して回動することで、保持部２１ａが拡径して被加熱容器Ｋの形状に対応するとともにその状態を維持する。
【００２８】
枠体３１は、被加熱容器Ｋと五徳Ｈとの当接部分Ｘで囲まれた領域Ｙを、領域Ｙの外側で包囲可能に形成されているので、被加熱容器Ｋが五徳Ｈに直接載置され、ガスバーナＧＢから放出された炎Ｆから近い位置で被加熱容器Ｋが炎Ｆを受けることになる。
【００２９】
ガスバーナＧＢから発生して被加熱容器Ｋの外周面から逃げる炎Ｆは、隔壁部２０を構成する分割片２１により規制される。また、保持部２１ａにより、上方に熱エネルギーが逃げるのを防止するとともに被加熱容器Ｋの外周面と当接する部分は被加熱容器Ｋの外周面に熱を伝導させる。さらに、被加熱容器Ｋの外周面と分割片２１との間の空間で、熱エネルギーが保持される。
【００３０】
以上の構成の本実施形態の燃焼補助器具１０では、被加熱容器Ｋの外周面を取り囲む筒状の隔壁部２０を備え、隔壁部２０の一端側に内側に曲げられた保持部２１ａを形成して、隔壁部２０の他端側に、被加熱容器Ｋと五徳Ｈとの当接部分Ｘで囲まれた領域Ｙを、その領域Ｙの外側で包囲可能とする載置部３０を設けている。
【００３１】
これにより、被加熱容器Ｋが五徳Ｈに直接載置され、ガスバーナＧＢから放出された炎Ｆから近い位置で被加熱容器Ｋが炎Ｆを受けられるとともに、隔壁部２０と被加熱容器Ｋの外周面との間に熱エネルギーを保持する空間が形成されることにより、被加熱容器Ｋの外周面から逃げた炎Ｆから熱エネルギーが放散するのを防止できるので、熱エネルギーの利用効率を良くすることができる。
【００３２】
また、載置部３０を、隔壁部２０とは別体の枠体３１として形成して、隔壁部２０を、隔壁部２０の周方向に沿って連設された複数枚の分割片２１で構成して、各分割片２１が、保持部２１ａとは反対側の端部で枠体３１に回動可能に支持することにより、分割片２１を回動させて、隔壁部２０の保持部２１ａを拡縮径させることが可能となり、サイズ、形状の異なる被加熱容器Ｋに使用することができる。
【００３３】
また、枠体３１を円環状に形成して、分割片２１の周方向における両端部を、隣接する分割片２１と重ね合せ、隔壁部２０の時計周り方向（周方向）における、前側の端部２１ｅを隣接する分割片２１より内側に配置し、後側の端部２１ｆを隣接する分割片２１より外側に配置している。これにより、一つの分割片２１を回動させることによって、隣接する分割片２１が連動して回動するので、隔壁部２０全体をサイズ、形状の異なる被加熱容器Ｋに対応させることが容易となる。
【００３４】
また、分割片２１を、付勢部材４０としてのコイルばね４１によって隔壁部２０の内側に付勢している。これにより、各分割片２１が被加熱容器Ｋの外周面を取り囲んだ状態を維持できるので、隔壁部２０を構成する分割片２１が被加熱容器Ｋの外周面から離れて熱エネルギーが放散するのを防止でき、熱エネルギーの利用効率を良くすることに寄与することになる。
【００３５】
本発明の燃焼補助器具は上記構成に限定されるものではない。即ち、本発明の要旨を逸脱しない限り各種の設計変更等が可能である。
【００３６】
たとえば、被加熱容器Ｋの形状、サイズが規格で決まっているのであれば、それに対応した隔壁部２０を一体化して形成することができる。
【００３７】
また、保持部２１ａが被加熱容器Ｋの外周面と当接できるのであれば、隔壁部２０の断面形状は、三角形、五角形、六角形等の多角形状に形成したり、楕円形状に形成したりすることも可能である。その際には枠体３１も、隔壁部２０に対応した形状にすることができる。
【００３８】
また、付勢部材４０は、隔壁部２０の内側に付勢できるのであれば、分割片２１と枠体３１に板ばねを配設する等、既存の手法を用いることができる。
【００３９】
また、分割片２１を枠体３１に対して回動可能に支持できるのであれば、軸と軸受等の既存の機構を用いることができる。
【符号の説明】
【００４０】
１０  燃焼補助器具
２０  隔壁部
２１  分割片
２１ａ  保持部
２１ｅ  前側の端部
２１ｆ  後側の端部
３０  載置部
３１  枠体
４０  付勢部材
Ｇ  ガスコンロ
Ｈ  五徳
Ｋ  被加熱容器
【図１】
2014077617.tif 000003
【図２】
2014077617.tif 000004
【図３】
2014077617.tif 000005
【図４】
2014077617.tif 000006